(57)【特許請求の範囲】
【請求項１】
貯蔵室を備え、この貯蔵室側方に電装箱が配置された貯蔵庫本体と、
この貯蔵庫本体にヒンジ機構を介して回転自在に枢支され、上記貯蔵室の前面側に設けられた搬入出口を開閉可能とする観音開き式の扉と、
この扉の一方の非枢支側に回転自在に取り付けられ、ヒータを内蔵した仕切体とを有し、
上記電装箱と上記仕切体の上記ヒータとを接続するリード線が、上記貯蔵庫本体及び上記扉の内部に配設された貯蔵庫において、
上記貯蔵庫本体は、その上部に前記扉の上方まで張り出した天板を備え、この天板の前方延部であって前記扉の上部を補強板の張出部にて支持され、
上記リード線は、上記天板と上記補強板により画成された空間内にコネクタによって接続されて配設されるとともに、上記ヒンジ機構を貫通して上記扉内部に至るよう構成され、
前記補強板の張出部には、前記コネクタの位置する近傍に角穴が形成され、この角穴を閉塞する態様で係止部材が着脱自在に取り付けられ、
前記係止部材は、前記コネクタ近傍のリード線が係止され、前記補強板から取り外すときに前記コネクタが前記角穴を通って前記空間内から引き出し可能に構成されていることを特徴とする貯蔵庫。
【発明の詳細な説明】
【０００１】
【発明の属する技術分野】
本発明は貯蔵庫に係り、例えば業務用横型冷蔵庫若しくは冷凍庫または恒温高湿庫などにおいて、センターピラーが仕切体として扉に取り付けられた貯蔵庫に関する。
【０００２】
【従来の技術】
図７に示す従来の業務用横型冷蔵庫１０は、冷蔵室１１を備え、この冷蔵室１１側方に電装箱１３が配置された冷蔵庫本体１４と、この冷蔵庫本体１４に、上ヒンジ機構及び下ヒンジ機構（共に図示せず）を介して回転自在に枢支され、冷蔵庫本体１４の前面側に設けられた冷蔵室１１の搬入出口１５を開閉可能とする観音開き式の扉１６及び１７と、この扉１７の非枢支側に回転自在に取り付けられ、着霜防止用のフレームヒータ１８を内蔵した仕切体１９とを有して構成される。
【０００３】
この業務用横型冷蔵庫１０では、上記電装箱１３と仕切体１９のフレームヒータ１８とを接続するリード線２０が、冷蔵庫本体１４の底部１２における断熱材（ウレタン発泡剤）内部に埋め込まれて電装箱１３から延び、図示しない一対のコネクタにより結線された後、扉１７の内部を経てフレームヒータ１８に至り、電装箱１３からフレームヒータ１８へ給電を可能としている。
【０００４】
【発明が解決しようとする課題】
このような業務用横型冷蔵庫１０では、製造時に、扉１６及び１７を冷蔵庫本体１４に取り付け、次に、リード線２０を前記コネクタにて結線した後、このコネクタをリード線カバー２１（図８）に収納して、このリード線カバー２１を冷蔵庫本体１４の底部１２に装着しなければならない。
【０００５】
ところが、上述のコネクタ結線作業及びリード線カバー２１の装着作業は、作業者に体を低くかがめた姿勢を要求し、作業性が悪い。この問題点は、業務用横型冷蔵庫１０の製造時のみならず、業務用横型冷蔵庫１０を現地に設置した後に扉１６及び１７を交換する際にも同様に生ずる。
【０００６】
また、上述のようなリード線２０の配線経路では、リード線２０の一部が冷蔵庫本体１４の底部１２に断熱材によって埋設されているため、リード線２０の配線経路が複雑であり、従って、リード線２０の配線作業が煩雑となって部品点数も増大する。更に、リード線２０が埋設箇所で断線した場合には、その修正は極めて困難になる。
【０００７】
本発明の目的は、上述の事情を考慮してなされたものであり、ヒータを内蔵した仕切体を備える扉の交換作業を容易化できると共に、ヒータに接続されるリード線の配線経路を簡略化できる貯蔵庫を提供することにある。
【０００８】
【課題を解決するための手段】
請求項１に記載の発明は、貯蔵室を備え、この貯蔵室側方に電装箱が配置された貯蔵庫本体と、この貯蔵庫本体にヒンジ機構を介して回転自在に枢支され、上記貯蔵室の前面側に設けられた搬入出口を開閉可能とする観音開き式の扉と、この扉の一方の非枢支側に回転自在に取り付けられ、ヒータを内蔵した仕切体とを有し、上記電装箱と上記仕切体の上記ヒータとを接続するリード線が、上記貯蔵庫本体及び上記扉の内部に配設された貯蔵庫において、上記貯蔵庫本体は、その上部に前記扉の上方まで張り出した天板を備え、この天板の前方延部であって前記扉の上部を補強板の張出部にて支持され、上記リード線は、上記天板と上記補強板により画成された空間内にコネクタによって接続されて配設されるとともに、上記ヒンジ機構を貫通して上記扉内部に至るよう構成され、前記補強板の張出部には、前記コネクタの位置する近傍に角穴が形成され、この角穴を閉塞する態様で係止部材が着脱自在に取り付けら、前記係止部材は、前記コネクタ近傍のリード線が係止され、前記補強板から取り外すときに前記コネクタが前記角穴を通って前記空間内から引き出し可能に構成されていることを特徴とするものである。
【００１０】
請求項１に記載の発明には、次の作用がある。
【００１１】
電装箱と仕切体のヒータとを接続するリード線が、天板と補強板により画成された空間内に配設されるとともに、ヒンジ機構を貫通して扉内部に至るよう構成されたことから、このリード線が、貯蔵庫本体の底部において断熱材内に埋設されて扉内部に至る場合に比べ、リード線経路を簡略化でき、このため、部品点数を低減できるとともに、リード線の配設作業を容易化できる。
【００１３】
補強板には、リード線のコネクタまたは当該コネクタ近傍のリード線を係止可能とする係止部材が、着脱自在に取り付けられたことから、貯蔵庫を現地に設置した後、扉を交換する際に、係止部材を補強板から取り外せばリード線のコネクタを引き出せるので、低く屈んだ姿勢でコネクタを外す難作業を削除でき、扉の交換を容易に実施できる。
【００１４】
【発明の実施の形態】
以下、本発明の実施の形態を、図面に基づき説明する。
【００１５】
図１は、本発明に係る貯蔵庫の一実施の形態が適用された業務用横型冷蔵庫を示す斜視図である。図２は、図１のＩＩ−ＩＩ線に沿う断面図である。
【００１６】
この図１に示す貯蔵庫としての業務用横型冷蔵庫３０は、センターピラーレス型の冷蔵庫であり、貯蔵庫本体としての冷蔵庫本体３１と、観音開き式の扉３２及び３３と、センターピラーとしての仕切体３４とを有して構成される。
【００１７】
上記冷蔵庫本体３１は、断熱箱体３５と、この断熱箱体３５の側方に設置された機械部３６とを備えてなる。断熱箱体３５は、図２に示す断熱材３７を備えて構成され、その内部に貯蔵室としての冷蔵室３８を画成する。図１に示す断熱箱体３５には、その前面側に冷蔵室３８を連通する搬入出口３９が形成されている。一方、機械部３６は、圧縮機、凝縮器、送風機（共に図示せず）及び電装箱４０を収納する。
【００１８】
上記扉３２、３３はそれぞれ右開き扉、左開き扉であり、共に断熱材３７を有して構成される。これらの扉３２、３３はそれぞれ上ヒンジ機構４１（後に詳説する）、下ヒンジ機構４２を介して断熱箱体３５に回転自在に枢支され、冷蔵室３８の搬入出口３９を開閉可能とする。扉３２及び３３が搬入出口３９を閉じた状態で、冷蔵室３８を外部から遮断する。
【００１９】
上記仕切体３４は、扉３３の非枢支側に回転自在に取り付けられ、扉３３が閉じられた時のみ、扉３２の当接面４３を構成し気密性能を確保する。扉３３が開かれた時には、仕切体３４は、扉３３と共に搬入出口３９から離れるので、冷蔵室３８への物品の搬入出の邪魔にならず、この搬入出を容易化する。
【００２０】
この仕切体３４は断熱材を備えてなり、この断熱材中の当接面４３側にフレームヒータ４４が埋設されている。このフレームヒータ４４は、業務用横型冷蔵庫３０の冷却運転時に通電され、仕切体３４の当接面４３への着霜を防止する。
【００２１】
ところで、冷蔵庫本体３１には、断熱箱体３５及び機械部３６の両上面に亘って、天板４５がトップテーブルとして張設されている。この天板４５は、ステンレスなどの錆ない金属板や樹脂板などから構成され、調理台などとして利用される。この天板４５の前方縁側が補強板４６にて支持される。
【００２２】
この補強板４６は、冷蔵庫本体３１の前面上部に、図１の左右方向に延在して取り付けられる。また、この補強板４６は、図２及び図３に示すように、取付面４７と張出面４８とが一体に成形された断面Ｌ字形状に構成される。取付面４７が断熱箱体３５及び機械部３６にネジなどにより固着されて、補強板４６が冷蔵庫本体３１に取り付けられる。この補強板４６の張出面４８に天板４５の前方延部が取り付けられて、天板４５が補強板４６により補強支持される。また、これらの天板４５と補強板４６に囲まれて、冷蔵庫本体３１に図１における左右方向に延びる空間４９が画成される。
【００２３】
補強板４６の張出面４８には、扉３２及び３３の枢支位置に対応する位置に、図３に示す切欠５０が形成され、前記上ヒンジ機構４１がこの切欠５０を跨ぐようにして補強板４６に取り付けられる。つまり、この上ヒンジ機構４１は、中空形状のヒンジシャフト５１が、ヒンジプレート５２を貫通した状態で、このヒンジプレート５２に一体に固定されたものである。このヒンジシャフト５１が切欠５０に挿通され、ヒンジプレート５２が張出面４８に載置された状態で、取付ねじ５３によりヒンジプレート５２と張出面４８が締結されて、上ヒンジ機構４１が補強板４６に取り付けられる。
【００２４】
この補強板４６に取り付けられた上ヒンジ機構４１のヒンジシャフト５１が、扉３２、３３内に埋設されたヒンジカラー５４に回転自在に嵌合されて、扉３２、３３の枢支側上端部が上ヒンジ機構４１により回転自在に支持される。
【００２５】
さて、図１に示すように、電装箱４０と仕切体３４のフレームヒータ４４とを接続するリード線５５は、その電装箱４０に接続された側のリード線部５５Ａが、天板４５と補強板４６とにより囲まれた空間４９内に配設され、端部にコネクタ５６Ａが接続される。また、リード線５５におけるフレームヒータ４４に接続された側のリード線部５５Ｂは、扉３３内に配設されると共に、図２及び図３に示すように、上ヒンジ機構４１のヒンジシャフト５１内を貫通して上記空間４９内に至り、この空間４９内に位置する端部にコネクタ５６Ｂが接続される。これらのコネクタ５６Ａ、５６Ｂは、図５に示すように結合されて、電装箱４０からフレームヒータ４４へ給電可能とされる。
【００２６】
一方、補強板４６には、図３に示すように、上述の如く接続されたコネクタ５６Ａ及び５６Ｂの位置する近傍に角穴５７が開口される。この角穴５７は、補強板４６の外側面に取付ねじ５８を用いて着脱自在に装着される係止板部材５９により閉塞される。この係止板部材５９の内側には、図６に示すように、一対の係止フック６０Ａ及び６０Ｂが対称位置に、一対の係止装着エレメント６１Ａ及び６１Ｂが同じく対称位置に、それぞれ一体に突設されている。
【００２７】
これらの係止フック６０Ａ及び６０Ｂ、並びに係止装着エレメント６１Ａ及び６１Ｂは、図２に示すように、係止板部材５９の補強板４６への装着状態下で、角穴５７を貫通して空間４９内に至る。そして、図４及び図５に示すように、リード線部５５Ａのコネクタ５６Ａ近傍は、係止フック６０Ａ及び係止装着エレメント６１Ａにより折り曲げられるように係止され、このうちの係止装着エレメント６１Ａに装着される。また、リード線部５５Ｂのコネクタ５６Ｂ近傍も、係止フック６０Ｂ及び係止装着エレメント６１Ｂに折り曲げられるように係止され、このうちの係止装着エレメント６１Ｂに装着される。従って、係止板部材５９を補強板４６から取り外したときには、この係止板部材５９とともに、コネクタ５６Ａ及びこのコネクタ５６Ａ近傍のリード線部５５Ａと、コネクタ５６Ｂ及びこのコネクタ５６Ｂ近傍のリード線部５５Ｂとが、空間４９内から引き出し可能とされる。
【００２８】
従って、上記実施の形態の業務用横型冷蔵庫３０によれば、次の効果▲１▼〜▲４▼を奏する。
【００２９】
▲１▼電装箱４０と仕切体３４のフレームヒータ４４とを接続するリード線５５が、天板４５と補強板４６により画成された空間４９内に配設されると共に、上ヒンジ機構４１のヒンジシャフト５１を貫通して扉３３内部に至るよう構成されたことから、このリード線５５が、貯蔵庫本体の底部において断熱材内に埋設されて扉内部に至る場合に比べ、リード線５５の配線経路を簡略化でき、この為、部品点数を低減できると共に、リード線５５の配設作業を容易化できる。
【００３０】
▲２▼補強板４６には、コネクタ５６Ａ近傍のリード線部５５Ａと、コネクタ５６Ｂ近傍のリード線部５５Ｂとをそれぞれ係止可能とする係止フック６０Ａ及び係止装着エレメント６１Ａと、係止フック６０Ｂ及び係止装着エレメント６１Ｂとを備えた係止板部材５９が、着脱自在に取り付けられたことから、業務用横型冷蔵庫３０を現地に設置した後に扉３２、３３を交換する際、係止板部材５９を補強板４６から取り外せばコネクタ５６Ａ及び５６Ｂを引き出せ、これらのコネクタ５６Ａ、５６Ｂを外して扉３３を交換すればよいので、低くかがんだ姿勢でコネクタ５６Ａと５６Ｂを外し結合する難作業を削除でき、扉３２、３３の交換を容易に実施できる。
【００３１】
▲３▼同様に、業務用横型冷蔵庫３０の製造時に扉３２及び３３を取り付けた後、リード線５５のコネクタ５６Ａと５６Ｂとの結合、及びその後の係止板部材５９の補強板４６への取付が、低い姿勢での実施を要求されないので、この業務用横型冷蔵庫３０の製造時においても上述の難作業を削除でき、扉３３の取付作業を容易化できる。
【００３２】
▲４▼リード線５５の主にリード線部５５Ａが断熱箱体３５に埋設されておらず、天板４５と補強板４６とに囲まれた空間４９内に配設されたので、主にリード線部５５Ａに断線が発生しても、その修理を容易に実施できる。
【００３３】
以上、本発明を上記実施の形態に基づいて説明したが、本発明はこれに限定されるものではない。例えば、係止板部材５９は、リード線部５５Ａのコネクタ５６Ａ近傍とリード線部５５Ｂのコネクタ５６Ｂ近傍を係止し装着するものを述べたが、コネクタ５６Ａ及び５６Ｂを直接係止装着しても良い。
【００３４】
【発明の効果】
以上のように、本発明に係る貯蔵庫によれば、電装箱と仕切体のヒータとを接続するリード線が、天板と補強板により画成された空間内に配設されると共に、扉のヒンジ機構を貫通して扉内部に至るよう構成されたことから、ヒータを内蔵した仕切板を備える扉の交換作業を容易化できると共に、ヒータに接続されるリード線の配線経路を簡略化できる。
【図面の簡単な説明】
【図１】本発明に係る貯蔵庫の一実施の形態が適用された業務用横型冷蔵庫を示す斜視図である。
【図２】図１のＩＩ−ＩＩ線に沿う断面図である。
【図３】図２のＩＩＩ矢視部分を分解して示す斜視図である。
【図４】図２のＩＩＩ矢視部分においてコネクタが結合する前の状態を示し、Ａが平面図、Ｂが側面図、Ｃが正面図である。
【図５】図２のＩＩＩ矢視部分においてコネクタが結合した状態を示し、Ａが平面図、Ｂが側面図、Ｃが正面図である。
【図６】図３の係止板部材を示す斜視図である。
【図７】従来の業務用横型冷蔵庫を示す斜視図である。
【図８】図７のＶＩＩＩ−ＶＩＩＩ線に沿う断面図である。
【符号の説明】
３０  業務用横型冷蔵庫（貯蔵庫）
３１  冷蔵庫本体（貯蔵庫本体）
３２、３３  扉
３４  仕切体
３８  冷蔵室（貯蔵室）
３９  搬入出口
４０  電装箱
４１  上ヒンジ機構
４４  フレームヒータ
４５  天板
４６  補強板
４９  空間
５１  ヒンジシャフト
５５  リード線
５５Ａ、５５Ｂ  リード線部
５６Ａ、５６Ｂ  コネクタ
５７  角穴
５９  係止板部材（係止部材）
【図１】
0004097347.tif 000002
【図２】
0004097347.tif 000003
【図３】
0004097347.tif 000004
【図４】
0004097347.tif 000005
【図５】
0004097347.tif 000006
【図６】
0004097347.tif 000007
【図７】
0004097347.tif 000008
【図８】
0004097347.tif 000009